(57)【特許請求の範囲】
【請求項１】
台車固定車輪及び台車自在車輪が設けられた台車における、上記台車自在車輪が設けられた一部分を持ち上げて、該台車を移動させる台車移動リフトであって、
リフト自在車輪が設けられたリフト本体部、該リフト本体部から水平方向に設けられて昇降可能であるフォーク部、及び該フォーク部に設けられ、地面に接地された状態を維持して上記フォーク部の上昇を支持する構造のリフト固定車輪を有するローリフトと、
上記フォーク部に装着され、上記台車の上記一部分を持ち上げるための持上げ部、及び上記フォーク部が下降した状態で接地されるアタッチメント固定車輪が設けられた持上げアタッチメントと、
上記リフト固定車輪に装着され、該リフト固定車輪の代わりに地面に接地される代替自在車輪が設けられた車輪アタッチメントと、を備え、
上記台車移動リフトによって上記台車を移動させるときに、上記フォーク部を上昇させて、上記持上げ部によって上記台車の上記一部分を持ち上げると同時に、上記アタッチメント固定車輪を地面から浮かせるよう構成されていることを特徴とする台車移動リフト。
【請求項２】
上記リフト固定車輪は、上記フォーク部に対して回動可能なアーム部の先端に設けられており、
上記代替自在車輪は、上記フォーク部が下降して上記アタッチメント固定車輪が地面に接地された状態において、地面から離れるよう構成されていることを特徴とする請求項１に記載の台車移動リフト。
【発明の詳細な説明】
【技術分野】
【０００１】
本発明は、台車を移動させる台車移動リフトに関する。
【背景技術】
【０００２】
工場においては、種々の搬送物を搬送するために種々の台車が用いられている。例えば、駆動源を持たない台車を牽引車によって牽引し、台車に載置された搬送物を搬送することがある。また、パレット等を持ち上げるフォークを有するローリフトによって、パレットに載置された搬送物を搬送することもある。
特許文献１においては、車体側下部にドライブホイールを備え、フォークの先端下面にフォーク昇降用のロードホイールを備えたローリフトについて開示されている。このローリフトにおいては、フォークの付根側に、ロードホイールの上昇時にフォークを浮上保持する補助輪を設けている。そして、ローリフトは、ドライブホイールとロードホイールとによって移動する状態と、ドライブホイールと補助輪とによって移動する状態とを形成することができる。
【先行技術文献】
【特許文献】
【０００３】
【特許文献１】実開昭６０−４３６９６号公報
【発明の概要】
【発明が解決しようとする課題】
【０００４】
ところで、重い搬送物等が載置された台車を移動させる際に、牽引車ではなく、ローリフトを用いたい場合がある。しかしながら、この場合において、固定車輪と自在車輪とが設けられた台車を移動させるときには、台車に設けられた固定車輪と、ローリフトに設けられた固定車輪としてのロードホイールの存在によって、台車を前後に移動させることしかできなくなる。そのため、ローリフトを利用して、固定車輪と自在車輪とが設けられた台車を、前後だけでなく左右に曲がって移動させるためには更なる工夫が必要となる。
【０００５】
本発明は、かかる背景に鑑みてなされたもので、ローリフトを利用した台車の前後の移動及び左右へ曲がる移動を可能にすることができる台車移動リフトを提供しようとして得られたものである。
【課題を解決するための手段】
【０００６】
本発明の一態様は、台車固定車輪及び台車自在車輪が設けられた台車における、上記台車自在車輪が設けられた一部分を持ち上げて、該台車を移動させる台車移動リフトであって、
リフト自在車輪が設けられたリフト本体部、該リフト本体部から水平方向に設けられて昇降可能であるフォーク部、及び該フォーク部に設けられ、地面に接地された状態を維持して上記フォーク部の上昇を支持する構造のリフト固定車輪を有するローリフトと、
上記フォーク部に装着され、上記台車の上記一部分を持ち上げるための持上げ部、及び上記フォーク部が下降した状態で接地されるアタッチメント固定車輪が設けられた持上げアタッチメントと、
上記リフト固定車輪に装着され、該リフト固定車輪の代わりに地面に接地される代替自在車輪が設けられた車輪アタッチメントと、を備え、
上記台車移動リフトによって上記台車を移動させるときに、上記フォーク部を上昇させて、上記持上げ部によって上記台車の上記一部分を持ち上げると同時に、上記アタッチメント固定車輪を地面から浮かせるよう構成されていることを特徴とする台車移動リフトにある。
【発明の効果】
【０００７】
上記台車移動リフトにおいては、ローリフトを利用して、台車固定車輪及び台車自在車輪が設けられた台車を移動させる際の工夫をしている。
具体的には、ローリフトに、持上げアタッチメント及び車輪アタッチメントを装着して、ローリフトの機能を変更する。ローリフトのフォーク部に持上げアタッチメントが装着されることにより、フォーク部が下降した状態においては、アタッチメント固定車輪が地面に接地される。また、ローリフトのリフト固定車輪に車輪アタッチメントが装着されることにより、リフト固定車輪が地面に接地されない代わりに代替自在車輪が地面に接地される。また、フォーク部を上昇させた状態においては、代替自在車輪が地面に接地されているとともに、アタッチメント固定車輪が地面から離れる。
【０００８】
なお、代替自在車輪は、フォーク部の昇降に拘らず常時地面に接地されていてもよい。また、代替自在車輪は、フォーク部が下降した状態において地面から離れ、フォーク部が上昇した状態において地面に接地されるようにしてもよい。
【０００９】
台車移動リフトを単独で移動させるときには、フォーク部を下降させてアタッチメント固定車輪が地面に接地された状態を形成する。そして、台車移動リフトは、ローリフトにおけるリフト自在車輪と、持上げアタッチメントにおけるアタッチメント固定車輪とによって移動が可能になる。そして、アタッチメント固定車輪によって左右へのふらつきが防止された状態で、台車移動リフトを移動させることができる。これにより、台車移動リフトにおけるフォーク部を台車の下方に差し込む作業、及びフォーク部を台車の下方から引き出す作業を容易にすることができる。
【００１０】
一方、台車移動リフトによって台車を移動させるときには、台車の下方に差し込まれた状態のフォーク部を上昇させて、持上げアタッチメントの持上げ部によって台車の一部分を持ち上げる。このとき、持上げアタッチメントのアタッチメント固定車輪が地面から離れるとともに、台車の一部分が持上げアタッチメントの持上げ部の上に載置される。また、代替自在車輪は、フォーク部の上昇に伴って地面に接地される、又は地面に接地されたままである。
【００１１】
そして、台車移動リフトと台車とが一体化され、台車固定車輪によって左右へのふらつきが防止された状態で、一体化された台車移動リフト及び台車を移動させることができる。これにより、台車移動リフトによって台車を前後に移動させるとともに左右に曲がって移動させることができる。
このように、上記台車移動リフトによれば、既存のローリフトに持上げアタッチメント及び車輪アタッチメントを装着した簡単な構成によって、ローリフトを利用した台車の前後の移動及び左右へ曲がる移動を可能にすることができる。
【図面の簡単な説明】
【００１２】
【図１】実施例にかかる、台車と一体化された台車移動リフトを示す説明図。
【図２】実施例にかかる、台車の一部分を持ち上げた状態の台車移動リフトを示す説明図。
【図３】実施例にかかる、台車移動リフトを示す平面図。
【図４】実施例にかかる、アタッチメント固定車輪が地面に接地された状態の台車移動リフトを、左右方向から見た状態で示す説明図。
【図５】実施例にかかる、代替自在車輪が地面に接地された状態の台車移動リフトを、左右方向から見た状態で示す説明図。
【図６】実施例にかかる、アタッチメント固定車輪が地面に接地された状態の台車移動リフトを、前後方向から見た状態で示す説明図。
【図７】実施例にかかる、代替自在車輪が地面に接地された状態の台車移動リフトを、前後方向から見た状態で示す説明図。
【発明を実施するための形態】
【００１３】
上述した台車移動リフトにおける好ましい実施の形態について説明する。
上記台車移動リフトにおいて、上記台車固定車輪、上記リフト固定車輪及び上記アタッチメント固定車輪における「固定車輪」とは、回転する機能のみを有し、向きが変更される機能を有しない形式の車輪のことをいう。台車固定車輪、リフト固定車輪及びアタッチメント固定車輪は、台車及び台車移動リフトの左右方向に向けられた回転軸線を中心に、台車及び台車移動リフトの前後方向に回転するものである。
【００１４】
また、上記台車自在車輪及び上記リフト自在車輪における「自在車輪」とは、回転する機能と、向きが変更される機能とを有する形式の車輪のことをいう。台車自在車輪及びリフト自在車輪は、台車及び台車移動リフトの鉛直方向に向けられた回転軸線を中心に回動するとともに、台車及び台車移動リフトの水平方向に向けられた回転軸線を中心に回転するものである。
また、上記地面は、工場内の床面、種々の道路面等とすることができる。
【００１５】
上記ローリフトは、作業者によって把持されるハンドルを有し、モータによって移動するもの、又はモータによるアシストを受けて作業者が移動させるものとすることができる。また、ローリフトは、作業者が手動で押し引きするものとすることもできる。また、ローリフトは、作業者が搭乗できるもの、搭乗できないもののいずれとすることもできる。また、ローリフトのフォーク部の昇降は、手動又は電動のいずれによって行うこともできる。
【００１６】
また、上記リフト固定車輪は、上記フォーク部に対して回動可能なアーム部の先端に設けられており、上記代替自在車輪は、上記フォーク部が下降して上記アタッチメント固定車輪が地面に接地された状態において、地面から離れるよう構成されていてもよい。
この場合には、アタッチメント固定車輪は、台車移動リフトを単独で移動させるときに地面から離すことができ、台車移動リフトによって台車を移動させるときに地面に接地させることができる。これにより、台車移動リフトの移動を円滑にすることができる。
【実施例】
【００１７】
以下に、台車移動リフトにかかる実施例について、図面を参照して説明する。
本例の台車移動リフト１は、図１に示すように、台車固定車輪５１及び台車自在車輪５２が設けられた台車５における、台車自在車輪５２が設けられた一部分５０を持ち上げて、台車５を移動させるために用いられる。台車移動リフト１は、図２、図３に示すように、ローリフト２と、ローリフト２に装着された持上げアタッチメント３及び車輪アタッチメント４とを備えている。
ローリフト２は、図３、図４に示すように、リフト自在車輪２２が設けられたリフト本体部２１と、リフト本体部２１から水平方向に設けられて昇降可能であるフォーク部２３と、フォーク部２３に設けられ、地面Ｇに接地された状態を維持してフォーク部２３の上昇を支持する構造のリフト固定車輪２４とを有している。
【００１８】
図２〜図４に示すように、持上げアタッチメント３は、フォーク部２３に装着されており、台車５の一部分５０を持ち上げるための持上げ部３２、及びフォーク部２３が下降した状態で接地されるアタッチメント固定車輪３３を有している。車輪アタッチメント４は、リフト固定車輪２４に装着されており、リフト固定車輪２４の代わりに地面Ｇに接地される代替自在車輪４２を有している。
図５に示すように、台車移動リフト１は、この台車移動リフト１によって台車５を移動させるときに、フォーク部２３を上昇させて、持上げ部３２によって台車５の一部分５０を持ち上げると同時に、アタッチメント固定車輪３３を地面Ｇから浮かせるよう構成されている。
【００１９】
以下に、本例の台車移動リフト１について、図１〜図７を参照して詳説する。
図２〜図４に示すように、本例の台車移動リフト１は、既存のローリフト２に、持上げアタッチメント３及び車輪アタッチメント４を装着することにより、ローリフト２の機能を変更して、台車固定車輪５１及び台車自在車輪５２が設けられた台車５を円滑に移動させることができるようにしたものである。ローリフト２は、モータによるアシストを受けて移動させる電動式のものである。リフト本体部２１には、リフト自在車輪２２の他に、作業者が把持するためのハンドル部２５が設けられている。リフト自在車輪２２は、ハンドル部２５を操作することによって左右に操舵することができる。フォーク部２３は、リフト本体部２１から左右一対に設けられており、フォーク部２３における、リフト本体部２１とは反対側に位置する先端側部分には、アーム部２３１及びリフト固定車輪２４が設けられている。
【００２０】
図５に示すように、リフト固定車輪２４は、アーム部２３１の先端に設けられている。アーム部２３１の基端は、フォーク部２３に対して回動可能に取り付けられている。アーム部２３１は、フォーク部２３内に収納される状態からフォーク部２３の下方へ回動して、リフト固定車輪２４に対するフォーク部２３の高さ位置を変更するよう構成されている。
【００２１】
図１に示すように、台車５は、前後方向Ｌに長い形状を有している。台車固定車輪５１は、台車５の荷台部５３の下面における、前後方向Ｌの中心部付近の左右に設けられており、台車自在車輪５２は、台車５の荷台部５３の下面における、前後方向Ｌの両端部付近の左右に設けられている。台車移動リフト１によって持ち上げる台車５の一部分５０は、台車５の前後方向Ｌにおけるいずれかの端部とする。台車５は、車両のボディ等の大型の搬送物８を載置して搬送するものである。
【００２２】
図３、図４に示すように、持上げアタッチメント３は、左右一対のフォーク部２３を上下から挟み込むようにして、左右一対のフォーク部２３に取り付けられるベース部３１を有している。持上げ部３２は、ベース部３１から起立して設けられており、台車５の荷台部５３の下面に当接するよう構成されている。アタッチメント固定車輪３３は、リフト固定車輪２４の付近においてベース部３１に取り付けられている。
【００２３】
図４、図７に示すように、車輪アタッチメント４は、リフト固定車輪２４に装着される装着フレーム部４１を有しており、代替自在車輪４２は、装着フレーム部４１に取り付けられている。装着フレーム部４１は、フォーク部２３の下部に配置される部分と、下面に代替自在車輪４２を取り付けるために、フォーク部２３の側方に配置される部分とを有している。リフト固定車輪２４は、車輪アタッチメント４の装着フレーム部４１の上に載置されている。代替自在車輪４２は、左右一対のフォーク部２３の左右方向Ｗの内側と外側とに配置されている。
【００２４】
代替自在車輪４２は、フォーク部２３が下降してアタッチメント固定車輪３３が地面Ｇに接地された状態において、地面Ｇから離れる（浮く）よう構成されている。具体的には、アタッチメント固定車輪３３は、図４、図６に示すように、ブラケット３４によって持上げアタッチメント３のベース部３１に対する上下方向Ｈの高さ位置を調整可能である。そして、代替自在車輪４２が地面Ｇから離れる状態において、アタッチメント固定車輪３３が地面Ｇに設置されるよう、ブラケット３４を上下に移動させてアタッチメント固定車輪３３の高さ位置を決定する。
また、装着フレーム部４１には、図７に示すように、フォーク部２３が上昇する際に、フォーク部２３に対して車輪アタッチメント４が左右に位置ずれしないようにするガイド部４３が設けられている。
【００２５】
本例の台車移動リフト１においては、ローリフト２に、持上げアタッチメント３及び車輪アタッチメント４を装着して、ローリフト２の機能を変更する。そして、ローリフト２のフォーク部２３に持上げアタッチメント３が装着されることにより、図４、図６に示すように、フォーク部２３が下降した状態においては、アタッチメント固定車輪３３が地面Ｇに接地される。また、ローリフト２のリフト固定車輪２４に車輪アタッチメント４が装着されることにより、図５、図７に示すように、フォーク部２３が上昇した状態においては、リフト固定車輪２４が地面Ｇに接地されない代わりに代替自在車輪４２が地面Ｇに接地される。また、フォーク部２３が上昇した状態においては、アタッチメント固定車輪３３が地面Ｇから離れる。
【００２６】
台車移動リフト１を単独で移動させるときには、図４に示すように、フォーク部２３を下降させて、アタッチメント固定車輪３３が地面Ｇに接地されるとともに、代替自在車輪４２が地面Ｇから離れる状態を形成する。そして、台車移動リフト１は、ローリフト２におけるリフト自在車輪２２と、持上げアタッチメント３におけるアタッチメント固定車輪３３とによって移動が可能になる。そして、アタッチメント固定車輪３３によって左右へのふらつきが防止された状態で、台車移動リフト１を移動させることができる。これにより、台車移動リフト１におけるフォーク部２３を台車５の下方に差し込む作業、及びフォーク部２３を台車５の下方から引き出す作業を容易にすることができる。
【００２７】
一方、台車移動リフト１によって台車５を移動させるときには、図２、図５に示すように、台車５の下方に差し込まれた状態のフォーク部２３を上昇させて、持上げアタッチメント３の持上げ部３２によって台車５の一部分５０を持ち上げる。このとき、持上げアタッチメント３のアタッチメント固定車輪３３が地面Ｇから離れるとともに、台車５の一部分５０が持上げアタッチメント３の持上げ部３２の上に載置される。また、代替自在車輪４２がフォーク部２３の上昇に伴って地面Ｇに接地される。
【００２８】
そして、台車移動リフト１と台車５とが一体化され、台車移動リフト１のリフト自在車輪２２及び代替自在車輪４２と、台車５の台車固定車輪５１及び台車自在車輪５２とが地面Ｇに接地される。こうして、台車固定車輪５１によって左右へのふらつきが防止された状態で、一体化された台車移動リフト１及び台車５を移動させることができる。これにより、台車移動リフト１によって台車５を前後に移動させるとともに左右に曲がって移動させることができる。
このように、本例の台車移動リフト１によれば、既存のローリフト２に持上げアタッチメント３及び車輪アタッチメント４を装着した簡単な構成によって、ローリフト２を利用した台車５の前後の移動及び左右へ曲がる移動を可能にすることができる。
【符号の説明】
【００２９】
１  台車移動リフト
２  ローリフト
２１  リフト本体部
２２  リフト自在車輪
２３  フォーク部
２４  リフト固定車輪
３  持上げアタッチメント
３２  持上げ部
３３  アタッチメント固定車輪
４  車輪アタッチメント
４２  代替自在車輪
５  台車
５０  一部分
５１  台車固定車輪
５２  台車自在車輪
【図１】
0006390503.tif 000002
【図２】
0006390503.tif 000003
【図３】
0006390503.tif 000004
【図４】
0006390503.tif 000005
【図５】
0006390503.tif 000006
【図６】
0006390503.tif 000007
【図７】
0006390503.tif 000008